(57)【要約】      （修正有）【課題】デッキ材を固定するネジホルダーを、先に取付けたデッキ材と次の取付けられるデッキ材との間の正確な位置へ取付ける際に、止めネジを利用した簡単な手法で仮固定して、作業者が複数個のネジホルダーの仮固定状況を看取して、デッキ材の間隔を適正に維持できるようにしたデッキ材固定装置を提供する。【解決手段】両デッキ材の側面間に挟着されるネジホルダー１が、内部に止めネジ７を遊挿し得る縦孔１０と、両側に両デッキ材の係止凹溝内へ挿入される連結板1４，1５とを有し、この連結板１４,１５はデッキ材の係止凹溝と係合するフック１６a,１６cと、連結板１４，１５を係止凹溝内へ支持する弾性片１７を備え、縦孔内に遊挿した止めネジの下端尖状部１３を根太に打ち込んでネジホルダー１を仮固定する。【選択図】  図１
2008031757.tif 000002
【特許請求の範囲】
【請求項１】
平行に配列される両デッキ材の側面間に挟着されるネジホルダーと、このネジホルダーを根太上に固定するための止めネジとからなり、
ネジホルダーは、内部中央に止めネジを遊挿し得る縦孔と、両側に両デッキ材の係止凹溝内へ挿入されるように延びる連結板を有し、
連結板は前縁にデッキ材側面の係止凹溝と係合するフックと、連結板の板面に連結板を前記係止凹溝内へ支持する弾性片を備えており、
止めネジは、ネジ溝の下端に根太上面へ打ち込まれる尖状部と、ネジ溝の上部に止めネジを有さない打ち込み部を備えているデッキ材の固定装置。
【請求項２】
ネジホルダーが、両デッキ材の側面間に挟着される肉厚の壁板からなっていて、この壁板の中央部肉厚内に上縁から下縁にかけて、止めネジのネジ溝を遊挿し得る内径の縦孔が設けられている請求項１のデッキ材の固定装置。
【請求項３】
ネジホルダーにおける縦孔内の上端内周面に、止めネジのネジ部上端と係合して、止めネジを縦孔内に仮止めする突起を備えている請求項１又は２のデッキ材の固定装置。
【請求項４】
ネジホルダーの両側から突出する連結板の前縁に設けられるフックは、隣接する両デッキ材のうちの、先に配置されたデッキ材に挿着される第１連結板の前縁では上方と下方とに設けられ、次に配置されるデッキ材に挿着される第２連結板の前縁では下方に設けられている請求項１のデッキ材の固定装置。
【請求項５】
連結板の板面に設けられ弾性片が、連結板に開設された窓孔におけるフック寄りの一方を接続辺として、窓孔の上方もしくは下方へ突出するように折曲げらた板バネからなっている請求項１のデッキ材の固定装置。
【発明の詳細な説明】
【技術分野】
【０００１】
本発明は、建築物のテラスやバルコニーなどの床面を、細幅長尺なデッキ材を互いに平行に配列して，ネジを上面から直接ネジ止めすることなく接合できるようにした床面施工工事に際し、デッキ材の取付け作業を能率よくかつ正確に仕上げられるようにしたデッキ材の固定装置の改良に関するものである。
【背景技術】
【０００２】
従来より、この種のデッキ材固定装置としては、図１８ａに示すように、平行に配列されるデッキ材Ｃ，Ｄの互いに突き合わされる側面Ｓ，Ｓ間に、溝型鋼の両側上端にフランジＢ１，Ｂ２を水平に突出させた固定金具Ａを配置し、固定金具ＡのフランジＢ１，Ｂ２により、デッキ材Ｃ，Ｄの側面に設けられた下方係止部Ｅ１，Ｅ２を押さえて、固定金具Ａの溝型鋼底面ＦをネジＧで根太Ｈヘ締め付けて固定する構造が広く知られている。
【０００３】
この固定装置を用いてデッキ材を固定する工程では、図１８ｂに示すように、まず、先に根太Ｈ上に配列固定された一方のデッキ材Ｃの側面Ｓに設けられた下側係止部Ｅ１の上に、固定金具Ａの一方のフランジＢ１を係合して、この状態で固定金具Ａの底面ＦがネジＧにより根太Ｈへ固定されるように本締めし、次いで、他方のデッキ材Ｄの側面Ｓにおける下側係止部Ｅ２を、固定金具ＡのフランジＢ２と根太Ｈとの間の空間に差し込むという手順による。
【０００４】
上記の装置を含むこの種の装置の問題点は、図１８ｂに示すように、一方のデッキ材Ｃの下側係止部Ｅ１の上に、固定金具Ａの一方のフランジＢ１を係合した時に、固定金具ＡをネジＧにより根太Ｈに本締めして固定しなければならないということ、つまり、最初のデッキ材Ｃを根太Ｈ上に配置した段階で、固定金具ＡのネジＧを緩むことなく本締めして、デッキ材Ｃを根太Ｈに確実に固定してからでないと、隣接する次のデッキ材Ｄを取付けられないということである。
【０００５】
デッキ材の配列に際して、固定金具ＡをネジＧにより本締めして固定することが何故施工上での問題点となるのかというと、例えば、図１８ｂに示すように、デッキ材Ｃを配列する段階で、固定金具Ａの溝型鋼側面Ｍをデッキ材Ｃの下側係止部Ｅ１へ、しっかりと隙間が生じないように押し付けた状態で、ネジＧを本締めしてしまわないと、溝型鋼側面Ｍとデッキ材Ｃの下側係止部Ｅ１との間に、或る部分では１ミリの隙間、或る部分では２ミリの隙間があるような不適切な取付け状態が生じて、各デッキ材の隙間間隔が均一でなく、最終的に組み合わされた床面の全体形状が不揃いで、所定の大きさの床面上にデッキ材が具合よく収まらず、美麗なデッキ状床面に仕上げられないという問題が生ずるからである。
【０００６】
また、図１８ｂに示すように、次のデッキ材Ｄを取付ける前に固定金具Ａを本締めしてしまうと、固定金具ＡにおけるフランジＢ２の下面と根太Ｈとの間の空間内に、次のデッキ材Ｄの下側係止部Ｅ２を差し込みにくいという問題を有している。
【０００７】
このような、床面の全体形状が不揃いになるという問題を解決する対策としては、デッキ材を配列する段階で、隣接する両デッキ材が正しい取付け位置へ配列されるまでは、固定装置に対してネジを本締めすることなく、仮止めできるようにしておき、所定の間隔を置いて配置された複数個の固定装置の取付け状態が正しいか否かを判断して、適正でない場合には、ネジの挿着位置を自由に修正してから、ネジを本締めできるような構造とすることが好ましい。
【０００８】
このような必要性から、従来においても、隣接する両デッキ材における両側面の凹溝内へ挿着される押さえ板の一端に、この凹溝内ヘ係合されるクランプを備え、押さえ板の中央部には、ネジ倒れ防止用突縁を設けて、押さえ板の一端を凹溝内へ挿着したときに、ネジが根太上に垂直に支持されて杖のような作用をはたし、これによって押さえ板の配置された位置を、隣接する次のデッキ材が取付けられるまで、仮止めできるようにしたデッキ材の固定装置が知られている。
【０００９】
【特許文献１】特開２００４−２１８３１１号公報
【発明の開示】
【発明が解決しようとする課題】
【００１０】
しかし、特許文献１に示されるデッキ材の固定装置は、押さえ板の一端にデッキ材の側面の凹溝内に係止される係止部を備えたクランプを取付けて、このクランプの係止部によって押さえ板をデッキ材の凹溝内に水平に支持することを特徴としており、押さえ板にネジが螺着されているとはいえ、このネジは、押さえ板をデッキ材の凹溝内に取付ける際に、単にネジが脱落することなく保持できるようにしたものである。
【００１１】
そのため、ネジの取付け高さを、常に下端が根太上に支持されて、押さえ板へ垂直な状態で支持されるようにセットしておかなければならず、ネジの下端が根太上に届かないように短く取付けられている場合とか、ネジの下端が長く突出し過ぎている場合には、押さえ板が傾斜して不安定な状態となるので、常にネジの高さ調整に注意して、不適切な位置へ取付けられないように気をくばらなければならないという問題を有している。
【課題を解決するための手段】
【００１２】
本発明は、従来におけるこの種のデッキ材固定装置の問題点を解消するため、デッキ材の固定装置を構成するネジホルダーを、隣接する、先に取付けられたデッキ材と次の取付けられるデッキ材との間の正確な位置へ取付けるに際し、止めネジによって簡単な手法で迅速に仮固定することができ、工事に際して、作業者が常に所定の間隔を置いて配置された止めネジによる仮固定状況を看取して、隣接するデッキ材との配列が適正に維持された、仕上がり状態の美麗な施工を期待できるデッキ材固定装置の提供を目的としたものである。
【００１３】
本発明はそのための具体的手段として、デッキ材固定装置を、平行に配列される両デッキ材の側面間に挟着されるネジホルダーと、このネジホルダーを根太上に固定するための止めネジとにより構成し、ネジホルダーは、内部中央に止めネジを遊挿し得る縦孔と、両側に両デッキ材の係止凹溝内へ挿入されるように延びる連結板を有し、連結板は前縁にデッキ材側面の係止凹溝と係合するフックと、連結板の板面に連結板を前記係止凹溝内へ支持する弾性片を備えており、ネジホルダーの縦孔内には、ネジ溝の下端に根太上面へ打ち込まれる尖状部と、ネジ溝の上部に止めネジを有さない打ち込み部を備えていることを特徴とするものである。
【００１４】
ネジホルダーは、両デッキ材の側面間に挟着される肉厚の壁板によって形成し、この壁板の中央部肉厚内に上縁から下縁にかけて、止めネジのネジ溝を遊挿し得る内径の縦孔が設けられているような構造とすることが好ましい。
【００１５】
また、ネジホルダーにおける縦孔内の上端内周面には、止めネジのネジ上端部と係合して、止めネジを縦孔内へ仮止めするための突起が設けられた構造とすることが好ましい。
【００１６】
一方、ネジホルダーの両側から突出する連結板の前縁に設けられるフックは、隣接する両デッキ材のうち、先に配置されたデッキ材に挿着される第１連結板の前縁では上方と下方とに設けられ、次に配置されるデッキ材に挿着される第２連結板の前縁では下方に設けられているような構造が好ましい。
【００１７】
また、連結板の板面に設けられ弾性片は、連結板に開設された窓孔におけるフック寄りの一方を接続辺として、窓孔の上方もしくは下方へ突出するように折曲げらた板バネにより形成されることが好ましい。
【発明の効果】
【００１８】
本発明のデッキ材固定装置は、内部に止めネジを遊挿し得る縦孔を開設したネジホルダーを、一方のデッキ材の側面に取付ける際に、ネジホルダーの中間部から突出した一方の連結板を、デッキ材の係止凹溝内へ挿入するようにしてデッキ材の側面に圧着し、ネジホルダーの上方へ突出する止めネジの上部を指で保持しながら頭部をカナヅチで軽く叩くことで、止めネジの先端を根太内へ打ち込むと、ネジホルダーを所定の取付け位置へ、簡単な手法でかなりの安定した強度で仮固定することができる。
【００１９】
その結果、同様にして仮固定された複数個のネジホルダーに対して、次のデッキ材を取付ける前の段階で、作業者が所定の間隔を置いて仮固定された複数個のネジホルダーが正しく取付けられているか否かを総体的に判断し、不備な姿勢のネジホルダーがあればその取付け姿勢を調整することにより、互いに隣接するデッキ材の間隔が適正に維持された、仕上がり状態の美麗な取付け施工を期待することができる。
【００２０】
所定の間隔を置いて仮固定された複数個のネジホルダーの取付け姿勢の状況を看取して、不備な姿勢のネジホルダーの取付け姿勢を調整するのは、次のデッキ材が取付けられる前の段階であるが、それぞれのネジホルダーは、止めネジの先端が根太内に打ち込まれることで、根太上に確実に仮固定されることになり、作業者が仮固定を終えたデッキ材の上を移動しても、それぞれのネジホルダーが取付け不安定のためにデッキ材の側面から外れ落ちてしまうことがなく、工事を安全に進めることができる。
【００２１】
止めネジによるネジホルダーの仮固定は、止めネジ上部の打ち込み部を指先で保持した安定な姿勢で頭部をカナヅチで軽く叩き、止めネジの下端尖状部を根太内に食い込ませる程度の強さなので、調整の必要があって、仮固定されたネジホルダーを付け替えるときには、止めネジの頭部を指で摘まんで引っ張ることで簡単に引き抜くことができる。
【００２２】
また、ネジホルダーを、両デッキ材の側面間に挟着される肉厚の壁板により構成し、この壁板の中央部肉厚内に上縁から下縁にかけて、止めネジのネジ溝を遊挿し得る内径の縦孔が設けられるような形状とした場合には、ネジホルダーを隣接する両デッキ材の側面間に配置して、壁板の両面を両デッキ材により挟着する作業がし易く、かつ、安定した不具合のない取付け状態を得ることができる。
【発明を実施するための最良の形態】
【００２３】
本発明のデッキ材固定装置を用いて取付けられるデッキ材としては、側面の内側に鉤形係止部を備えた係止凹溝が開設されているような形状のものが好ましく、また、固定装置を構成するネジホルダーとしては、両デッキ材の側面間に挟着される肉厚の壁板からなっていて、この壁板の中央部肉厚内に上縁から下縁にかけて、止めネジのネジ溝を遊挿し得る内径の縦孔が設けられているような構造とすることが好ましい。さらに、ネジホルダーにおける縦孔内の上端内周面には、止めネジのネジ上端部と係合して、止めネジを縦孔内へ仮止めするための突起が設けられるような構造とすることが好ましい。
【実施例】
【００２４】
次に、本発明に係るデッキ材固定装置の構成を図面に示す実施例について説明すると、この固定装置は、図１乃至図３に示すように、ポリカーボネート製のネジホルダー１と、このネジホルダー１を根太２上に配列されるデッキ材３ａ，３ｂの間に固定するための止めネジ７とから構成されている。一方、この固定装置を用いて固定されるデッキ材３ａ，３ｂとしては、図１２乃至図１７に示すように、側面４の内側に鉤形係止部５を備えた係止凹溝６が開設されているような形状のものが用いられる。
【００２５】
ネジホルダー１は、先に取付けられるデッキ材３ａと、後から取付けられるデッキ材３ｂの側面４、４の間に挟着される肉厚を有するものであれば、外形は筒状であっても板状であってもよいが、この実施例では、壁板８からなっていて、この壁板８の中央部肉厚内に上縁から下縁にかけて、止めネジ７のネジ溝９を遊挿し得る内径の縦孔１０が設けられている。
【００２６】
なお、図４に示したように、縦孔１０の上端内周面には、止めネジ７におけるネジ溝９の上部に係合して、止めネジ７を縦孔１０内の所定の高さ位置に仮保持しておくための突起１１が設けられている。
【００２７】
止めネジ７は、壁板８の縦孔１０の長さとほぼ等しい長さのネジ溝９と、このネジ溝９の上部に該ネジ溝９の長さとほぼ等しい程度の長さのあるネジ溝を備えていない打込み部１２を有し、ネジ溝９の下端には、後に打込み部１２の上端をカナヅチで軽く叩かれることで、僅かな深さ分だけ根太内へ打ち込まれて仮固定されるための尖状部１３が設けられている。ネジ溝９の上部に長さの大きい打込み部１２を設けたのは、後に打込み部１２の上端をカナヅチで軽く叩く際に、デッキ材３の表面より上方へ突出する止めネジ７を、指先で安定よく保持できるようにするためである。
【００２８】
ネジホルダー１を形成する壁板８の前後両面における中央部の高さ位置には、壁板８の長さ方向に沿ってそれぞれ前後方向へ水平に突出し、根太２上へ先に配置されたデッキ材３ａの係止凹溝６内に挿着される第１連結板１４と、後から配置されるデッキ材３ｂの係止凹溝６内に挿着される第２連結板１５とが設けられている。
【００２９】
この連結板１４，１５の前縁には、デッキ材３の鉤形係止部５と係合するフック１６が設けられており、これらのフック１６は、先に配置されるデッキ材３ａの鉤形係止部５に係止される第１連結板１４の前縁では、上方フック１６ａと下方フック１６ｂとを有しており、後から配置されるデッキ材３ｂの鉤形係止部５に係止される第２連結板１５の前縁では、下方フック１６ｃが設けられている。
【００３０】
一方、第１連結板１４及び第２連結板１５の板面の両側部分には、これらの連結板を前記係止凹溝６内へ浮くように支持するための複数個の板バネからなる弾性片１７が設けられている。これらの弾性片１７は、図１０に示したように、連結板１４，１５におけるフック１６寄りの一辺を残して、この一辺を囲む三辺を切り離すことで窓孔１８を形成し、この窓孔１８におけるフック１６寄りの一辺、を接続辺１９として、窓孔１８の上方及び下方へ向けて突出するように折曲げることで形成されている。
【００３１】
これらの板バネ２０からなる弾性片１７は、図１０に示すように、外部からの圧力を受けないときには、先端が窓孔１８の開設された連結板１４，１５の表面よりも上方または下方へ突出し、外部からの圧力を受けると、連結板１４，１５の表面よりも下方の窓孔１８内へ押し込められるように構成されている。なお、実施例では、弾性片１７を、窓孔１８に上方及び下方へ２個突出するような構成として説明したが、少なくとも、それぞれの窓孔１８に下方に向けたものが１個あればよい。
【００３２】
本発明のデッキ材固定装置の作業工程を説明すると、図１２に示すように、まず、根太２上に適宜の手段により最初のデッキ材３ａを固定したのち、このデッキ材３ａの側面にネジホルダー１を当接して、第１連結板１４の前縁をデッキ材３ａの係止凹溝６内へ差し込む。
【００３３】
第１連結板１４の前縁は、上方と下方とにフック１６ａ，１６ｂが設けられていて、両フック１６ａ，１６ｂとの間を結んだ部分の長さは、デッキ材３ａにおける係止凹溝６の間隔と等しいか、もしくは大きいので、第１連結板１４を水平としたままでは、係止凹溝６内に容易に挿入することができない。そのため、図１２のように、ネジホルダー１をデッキ材側面４に対して、第１連結板１４が左肩下がりとなるような姿勢で当接し、第１連結板１４をデッキ材３ａの係止凹溝６内へ差し込む。
【００３４】
図１３に示すように、第１連結板１４の前縁のフック１６ａ，１６ｂが係止凹溝６内を通過して内奥部６ａへ挿入されると、止めネジ７の下端の尖状部１３が根太２の表面に支持された状態で、ネジホルダー１がデッキ材側面４に対し垂直な姿勢で配置される。
【００３５】
この状態では、図４に示すように、ネジホルダー１における縦孔１０の上端内周面に設けた突起１１が、縦孔１０内に挿通された止めネジ７のネジ溝９上端部と係合して、ネジホルダー１と止めネジ７とが一体化された状態となっているので、止めネジ７が直立することに伴って、ネジホルダー１を、第１連結板１４の上面が、デッキ材側面の係止凹溝６の上面と接する高さ位置まで吊り上げることになる。そのとき、図１３のように、第１連結板１４の上面に向けて突出するように設けられた弾性片１７は、連結板１４の表面よりも下方の窓孔１８内へ押し込められている。
【００３６】
図１３に示すように、第１連結板１４の前縁の上方フック１６ａが係止凹溝６に係合した状態で、ネジホルダー１が垂直に配置された状態となれば、このネジホルダー１が配置されたデッキ材３ａの側方に、図１５のように、次のデッキ材３ｂを装着してもよいのではないかと考えられる。
【００３７】
しかし、図１３に示す状態は、第１連結板１４の前縁上方フック１６ａが係止凹溝６と係合しているだけで、ネジホルダー１が根太２と連結しているわけではないので、ネジホルダー１のデッキ材３ａへの取付け状態がきわめて不安定であり、ネジホルダー１が少しの振動・衝撃によってデッキ材３ａから矢印の方向へ傾斜して外れてしまう可能性、つまり、ネジホルダー１の取付け状態としては不安定な条件を含んでいる。
【００３８】
そのため、本発明の固定装置では、図１３のように、ネジホルダー１の第１連結板１４の挿着を終えた後に、その場で、図１４に示すように、直ちに止めネジ７の頭をカナヅチで軽く叩いて、下端の尖状部１３を根太２内へ打ち込んで、止めネジ７を根太２に仮固定する。
【００３９】
このように、止めネジ７の頭を叩いて尖状部１３を根太２内へ打ち込むと、図４に示した、止めネジ７のネジ溝９上端部と縦孔１０の上端の突起１１との係合が外されることで、ネジホルダー１と止めネジ７との連結状態が解かれ、ネジホルダー１は止めネジ７に対してフリーの状態となる。
【００４０】
ネジホルダー１が止めネジ７に対してフリーの状態になると、ネジホルダー１は、自重により、図１３に示した高さ位置より下方へ落下することになる。その時、図１４に示すように、第１連結板１４の上面に向けて設けられた弾性片１７が、デッキ材３ａの係止凹溝６の上面を反力面として、連結板１４を下方へ押し下げるように突出するとともに、第１連結板１４の下面に向けて設けられた弾性片１７が、係止凹溝６の下面に接触して連結板１４の押し下げ力を吸収するように屈曲し、上下の弾性片１７、１７の弾力により連結板１４を係止凹溝６内の中間位置に水平に配置される。
【００４１】
このように、第１連結板１４がデッキ材側面の係止凹溝６内の中間位置に水平に配置されると、第１連結板１４の前縁の上方フック１６ａ及び下方フック１６ｂが、僅かではあるが、デッキ材３の鉤形係止部５と係合されることと、第１連結板１４の上面及び下面に設けられた弾性片１７が、係止凹溝６の上面及び下面に圧着されることで、ネジホルダー１がデッキ材３ａに対し適正、かつ、確実な状態で仮固定されることになる。
【００４２】
上記のような手順により、所定の間隔を置いて仮固定された複数本のネジホルダー１と止めネジ７の仮固定状況を総合的に看取して、取付け状態が設計どおり正しく仮固定されているか否かを判断し、不具合な仮固定ネジホルダー１は止めネジ７を引き抜いて、ネジホルダーの位置・姿勢などを修正する。
【００４３】
止めネジ７の形状として、ネジ溝９の上部の打込み部１２の長さを大きくした場合には、止めネジ７の仮固定の際、指先で保持し易いという利点の外に、複数箇所の止めネジ仮固定処理が終わった後で作業状況を振り返って見たときに、打ち込み部１２がデッキ材３の表面より大きく突出しているので、止めネジが正しく突出しているか否かを判別し易く、不具合な箇所の発見を容易として適正な作業を能率的に進めることに役立つ。
【００４４】
ネジホルダー１の仮固定が完了した後は、図１５に示すように、先に固定されたデッキ材３ａの側面に、隣接するデッキ材３ｂの側面を接続する。接続に際しては、デッキ材３ａの側面と対応する側面が下側となるように傾斜させて、ネジホルダー１の第２連結板１５のフック１６ｃが、デッキ材３ｂの係止凹溝６内へ挿入される。
【００４５】
図１４に示すように、先のデッキ材３ａに仮固定されたネジホルダー１は、止めネジ７との係合が解かれてフリーの状態となるが、第１連結板１４の上面及び下面に設けられた弾性片１７，１７の弾力により、連結板１４が係止凹溝６内の中間位置に水平に配置される。この状態では、連結板１４の下面が、板バネ１７により押し上げられて、係止凹溝６の下面から上方へ浮き上がった状態となっている。そのため、ネジホルダー１の下端は根太２の表面から隙間Ｒ分だけ浮き上がっている。
【００４６】
このように、ネジホルダー１が仮固定の状態にあるとき、ネジホルダー１が根太２の表面から隙間Ｒ分だけ上方へ浮き上がっていると、図１５のように、ネジホルダー１の第２連結板１５の前縁を、次のデッキ材３ｂ側面の係止凹溝６内へ挿入する操作を容易に行うことができる。第２連結板１５の前縁のフック１６ｃが、次のデッキ材３ｂの係止凹溝６を通して鉤形係止部５内へ挿入されるのに従ってデッキ材３ｂを水平な姿勢に配置する。
【００４７】
次のデッキ材３ｂが水平に配置された後は、図１６に示すように、ドライバーにより止めネジ７を回転して根太２内へねじ込む。止めネジ７が根太２内へねじ込まれて、ネジの頭部が縦孔１０の上端へ押し付けられることで、ネジホルダー１の下端が根太２上へ圧着される。同時に、第１連結板１４及び第２連結板１５の下面がそれぞれの係止凹溝６，６の下面へ接した状態で、下側フック１６ｂ，１６ｃが鉤形係止部５，５と係合し、ネジホルダー１により先のデッキ材３ａと次のデッキ材３ｂとが確実に接続される。
【００４８】
図１７は、施工床面の最終取付け位置にデッキ材３ｎを配置するときの、拝み入れと呼ばれる方法を示すものである。床面の最終取付け位置にデッキ材３ｎを配置するとき、従来では、図１８ａに示したような固定装置によりデッキ材３ｎの右端を固定すると、固定状態が不安定となるので、デッキ材を水平に配置した状態で、図１７のように、デッキ材３ｎの表面から、仮想線で示したように、ネジＮを直接根太２に向けてねじ込んで固定していたため、デッキ材３ｎの表面にネジＮの頭が露呈して体裁が悪いという問題があった。
【００４９】
このような問題に対して、本発明の固定装置では、図１７のように、根太２の端縁に、最終デッキ材３ｎの係止凹溝６へ係合する固定フック２１を固定しておき、次に、最終デッキ材３ｎの手前の先デッキ材３ｂを、右端が上になるように傾斜させて、この状態で先デッキ材３ｂの右端の係止凹溝６にネジホルダー１を取付けておく。
【００５０】
次に、最終デッキ材３ｎを、右端が下がり左端が上がるような姿勢に傾斜させることで、その右端の係止凹溝６内に前記固定フック２１が差し込まれるように配慮しながら、上方へ持ち上げられた左端の係止凹溝６内へ、先デッキ材３ｂに取付けられたネジホルダー１の第２連結板１５を差し込む。
【００５１】
このようにして、両デッキ材３ｂ及び３ｎとが、中間にネジホルダー１を介して山形に組み合わされた状態で、両デッキ材を、水平となるように根太２の上面へ押し下げると、最終デッキ材３ｎは、左端がネジホルダー１を介して先デッキ材３ｂに接続され、右端が根太に取付けた固定フック２１に係合されて、頭の見えるネジ止めによることなく正確に固定することができる。
【産業上の利用可能性】
【００５２】
本発明の固定装置では、デッキ材を根太上に正しく配列する段階で、止めネジによってネジホルダーを本締め固定せずに、仮固定できるようにしたので、作業者が複数箇所を仮固定した状況を見直して修正することができ、この種の作業を正確に進めるのに必要なことを適正に実現でき、利用可能性の高いものである。
【図面の簡単な説明】
【００５３】
【図１】本発明のデッキ材固定装置を構成するネジホルダーと止めネジの形状を示す斜視図。
【図２】ネジホルダーの別の角度から見た形状を示す斜視図。
【図３】ネジホルダーとデッキ材との関係を示す斜視図。
【図４】ネジホルダーと止めネジとの関係を示す端面図。
【図５】ネジホルダーの正面図。
【図６】ネジホルダーの平面図。
【図７】ネジホルダーの下面図。
【図８】ネジホルダーの右側面図。
【図９】図５のイ−イ線における端面図。
【図１０】図５のロ−ロ線における断面図。
【図１１】図６のハ−ハ線における断面図。
【図１２】デッキ材側面にネジホルダーを取付ける方法を示す断面図。
【図１３】ネジホルダーをデッキ材側面に仮付けした状態の断面図。
【図１４】止めネジの下端を根太内へ打ち込んでネジホルダーを仮固定した状態の断面図。
【図１５】仮固定されたネジホルダーに次のデッキ材を接続する方法を示す断面図。
【図１６】両デッキ材がネジホルダーを介して接続された状態の断面図。
【図１７】床面の周縁部に最終デッキ材を配置する接続方法を示す断面図。
【図１８】従来のデッキ材取付け手段の構造と工法を示す断面図である。
【符号の説明】
【００５４】
１：ネジホルダー、
２：根太、
３：デッキ材、
４：デッキ材側面、
５：鉤形係止部、
６：係止凹溝、
７：止めネジ、
８：壁板、
９：ネジ溝、
１０：縦孔、
１１：突起、
１２：打込み部、
１３：尖状部、
１４：第１連結板、
１５：第２連結板、
１６：フック、
１７：弾性片、
１８：窓孔、
１９：接続辺、
２１：フック
【図１】
2008031757.tif 000003
【図２】
2008031757.tif 000004
【図３】
2008031757.tif 000005
【図４】
2008031757.tif 000006
【図５】
2008031757.tif 000007
【図６】
2008031757.tif 000008
【図７】
2008031757.tif 000009
【図８】
2008031757.tif 000010
【図９】
2008031757.tif 000011
【図１０】
2008031757.tif 000012
【図１１】
2008031757.tif 000013
【図１２】
2008031757.tif 000014
【図１３】
2008031757.tif 000015
【図１４】
2008031757.tif 000016
【図１５】
2008031757.tif 000017
【図１６】
2008031757.tif 000018
【図１７】
2008031757.tif 000019
【図１８】
2008031757.tif 000020